【手続補正書】
【提出日】平成22年12月2日(2010.12.2)
【手続補正１】
【補正対象書類名】特許請求の範囲
【補正対象項目名】全文
【補正方法】変更
【補正の内容】
【特許請求の範囲】
【請求項１】
ＲＳＡハウジングと、
ＲＳＡハウジング内部に配置されたトランスミッタと、
トランスミッタに結合され、分析対象物センサを有する使い捨てセンサアセンブリ（ＤＳＡ）に通信可能に結合され、ＤＳＡからの測定信号を受信して、受信された測定信号に応じてトランスミッタに遠隔測定信号を送信させるマイクロコントローラと、
を含む、再利用可能センサアセンブリ（ＲＳＡ）。
【請求項２】
ＲＳＡハウジング内部に配置され、使い捨てセンサアセンブリに電力を供給するように構成されたバッテリをさらに含む、請求項１記載のＲＳＡ。
【請求項３】
ＲＳＡ電気コネクタを介したＤＳＡに対するマイクロコントローラの通信可能な結合を容易にする方向で、ＤＳＡのＤＳＡハウジングに着脱可能に取り付けられるように構成されたＲＳＡハウジング内部に配置され、マイクロコントローラに結合されたＲＳＡ電気コネクタをさらに含む、請求項１記載のＲＳＡ。
【請求項４】
ＲＳＡ電気コネクタが、ＤＳＡのＤＳＡ電気コネクタとの直接電気接続を介して、又はＤＳＡ電気コネクタとの誘導結合を介して、ＤＳＡにマイクロコントローラを通信可能に結合させるように構成される、請求項３記載のＲＳＡ。
【請求項５】
ＲＳＡハウジングが、ＲＳＡの底面の少なくとも一部がＤＳＡハウジングの上面と直に接触する方向で、ＤＳＡのＤＳＡハウジングに着脱可能に取り付けられ、ＤＳＡハウジングの底面が動物の皮膚に添付されるように適合される、請求項１記載のＲＳＡ。
【請求項６】
ＲＳＡハウジングの底面が、ＤＳＡハウジングの上面から離れて傾けられ、一方でＲＳＡハウジングがＤＳＡハウジングに着脱可能に取り付けられて維持されるように構成される、請求項５記載のＲＳＡ。
【請求項７】
ＲＳＡハウジングの底面が、ＤＳＡの上面に配置されたドッキングソケットに合うように適合されたキャビティを含み、ドッキングソケットは、ＲＳＡハウジングがＤＳＡハウジングに着脱可能に取り付けられたときにＲＳＡ内部に配置されたＲＳＡ電気コネクタに通信可能に結合されるように構成された、請求項５記載のＲＳＡ。
【請求項８】
測定信号が分析対象物センサから生じ、遠隔測定信号が測定信号を含む、請求項１記載のＲＳＡ。
【請求項９】
ＲＳＡハウジングが、ＤＳＡハウジングに着脱可能に取り付けられて、リスポーザブルセンサアセンブリを形成するよう適合され、ＤＳＡハウジングから取り除かれるように適合され、及び別のＤＳＡハウジングに着脱可能に取り付けられて、別のリスポーザブルセンサアセンブリを形成するように適合される、請求項１記載のＲＳＡ。
【請求項１０】
開口を有するＤＳＡハウジングと、
ハウジング内部に配置され、分析対象物センサに軸方向の支持を提供し、分析対象物センサに原動力が与えられたとき、分析対象物センサが誘導構造を少なくとも部分的に通過して開口を出ることを可能にして、分析対象物センサを挿入位置に位置付けるように適合されたセンサ挿入誘導構造と、
センサ挿入誘導構造上又は内部に位置決めされ、分析対象物センサが挿入位置にある間、分析対象物センサが再利用可能センサアセンブリ（ＲＳＡ）のマイクロコントローラに通信可能に結合することを容易にするように適合される結合デバイスであって、分析対象物センサが、動物の皮膚に部分的に挿入されている間、測定信号を生成するように構成される、結合デバイスと、
を含む、使い捨てセンサアセンブリ（ＤＳＡ）。
【請求項１１】
ＤＳＡハウジングが、ＲＳＡのＲＳＡハウジングに着脱可能に取り付けられるように適合され、結合デバイスをセンサ挿入誘導構造上又はその中に位置決めすることが、マイクロコントローラへの分析対象物センサの通信可能な結合を容易にするように適合される一方で、ＤＳＡがＲＳＡのＲＳＡハウジングに着脱可能に取り付けられる、請求項１０記載のＤＳＡ。
【請求項１２】
結合デバイスが、ＲＳＡハウジング内部に配置されたＲＳＡ電気コネクタに通信可能に結合されるように適合されたＤＳＡ電気コネクタである、請求項１１記載のＤＳＡ。
【請求項１３】
ＤＳＡ電気コネクタが、ＤＳＡハウジングの上面上に配置されたドッキングソケットの一部であり、ドッキングソケットは、ＤＳＡハウジングがＲＳＡハウジングに着脱可能に取り付けられているときにＲＳＡハウジングの底面上に配置されたキャビティに合うように適合され、キャビティが、ＲＳＡ電気コネクタを含む、請求項１２記載のＤＳＡ。
【請求項１４】
ＤＳＡが、ＤＳＡ電気コネクタを介して、ＲＳＡのバッテリから電力を受けるように適合される、請求項１２記載のＤＳＡ。
【請求項１５】
赤外線、直接電気接続、パーソナルエリアネットワーク（ＰＡＮ）通信、又は誘導結合を介したＲＳＡ信号通信装置を介して、マイクロコントローラと通信するように構成された信号送信装置をさらに含む、請求項１０記載のＤＳＡ。
【請求項１６】
ＤＳＡハウジングの上面上に配置されたドッキングソケットをさらに含み、センサ挿入誘導構造がドッキングソケット内に延びる、請求項１０記載のＤＳＡ。
【請求項１７】
ドッキングソケットが、着脱可能なセンサカートリッジを受け入れるように構成され、
着脱可能なセンサカートリッジが、着脱可能なセンサカートリッジのカートリッジ誘導構造内部に配置された分析対象物センサを有し、着脱可能なセンサカートリッジが、分析対象物センサの遠位端上に原動力を与えるように構成されたアクチュエータを含むインサータデバイスを受け入れるように適合された、請求項１６記載のＤＳＡ。
【請求項１８】
インサータが、センサ挿入後、ドッキングソケットから着脱可能なセンサカートリッジを抜き取るように構成される、請求項１７記載のＤＳＡ。
【請求項１９】
ＤＳＡハウジング内部に配置され、分析対象物センサの遠位端上に原動力を与えるように構成された、ユーザが起動させるアクチュエータをさらに含む、請求項１０記載のＤＳＡ。
【請求項２０】
ＤＳＡハウジングの外面上に配置され、動物の皮膚を接着するように適合された接着パッチをさらに含む、請求項１０記載のＤＳＡ。
【請求項２１】
ユーザによって、患者の皮膚面に、ＲＳＡハウジングを含む再利用可能センサアセンブリ（ＲＳＡ）及び使い捨てセンサアセンブリ（ＤＳＡ）と、ＲＳＡハウジングの中又はその上に配置されたトランスミッタと、ＲＳＡハウジング内部に配置されてトランスミッタに結合され、ＤＳＡのＤＳＡハウジング内部に配置された分析対象物センサからの測定信号を受信するように構成され、受信された測定信号に応じて遠隔測定信号をトランスミッタに送信させるように構成されたマイクロコントローラとを含むリスポーザブルセンサアセンブリを取り付けることと、
ユーザによってアクチュエータを起動させて、皮膚面の内部に分析対象物センサを部分的に挿入することと、
ユーザによって、一定時間後に、分析対象物センサを含むリスポーザブルセンサアセンブリを皮膚面から取り除き、ＤＳＡからＲＳＡを分離させて、ＲＳＡに別のＤＳＡを取り付けて、別のリスポーザブルセンサアセンブリを形成することと、
を含む方法。
【請求項２２】
ユーザによって、皮膚面、患者の異なる皮膚面、あるいは別の患者の皮膚面のいずれかに別のリスポーザブルセンサアセンブリを取り付けることをさらに含む、請求項２１記載の方法。
【請求項２３】
ＲＳＡハウジングが、上向きに傾けられてＤＳＡの上面を露出させ、方法が、
ＤＳＡの上面上に配置されたドッキングソケットを覆う、分析対象物センサを包含するセンサカートリッジ上に、アクチュエータを包含するインサータデバイスを合わせることと、
アクチュエータが起動されたとき、ユーザによってインサータデバイスを取り除くことによって、センサカートリッジの抜き取り及びドッキングソケットの露出を生じさせることと、
ドッキングソケットとＲＳＡのマイクロコントローラとの間に通信可能な結合を形成する形でドッキングソケットを覆うように、ユーザによってＲＳＡハウジングを下向きに傾けることと、
をさらに含む、請求項２１記載の方法。
【請求項２４】
再利用可能センサアセンブリ（ＲＳＡ）と、ＤＳＡと、を含む、リスポーザブルセンサアセンブリであって、
再利用可能センサアセンブリ（ＲＳＡ）が、
ＲＳＡハウジングと、
ＲＳＡハウジング内部に配置されたトランスミッタと、
トランスミッタに結合され、使い捨てセンサアセンブリ（ＤＳＡ）からの測定信号を受信して、受信された測定信号に応じてトランスミッタに遠隔測定信号を送信させるマイクロコントローラと、
を含み、
ＤＳＡが、
開口を有するＤＳＡハウジングと、
ハウジング内部に配置され、分析対象物センサに軸方向の支持を提供するように適合され、分析対象物センサに原動力が与えられたとき、分析対象物センサが誘導構造を少なくとも部分的に通過して開口を出ることを可能にして、分析対象物センサを挿入位置に位置付けるセンサ挿入誘導構造と、
センサ挿入誘導構造上又は内部に位置決めされ、分析対象物センサが挿入位置にある間、分析対象物センサがマイクロコントローラに通信可能に結合することを容易にするように適合された結合デバイスと、
を含む、リスポーザブルセンサアセンブリ。
【請求項２５】
ＲＳＡハウジングが、ＤＳＡハウジングに着脱可能に取り付けられるように構成され、結合デバイスが、ＲＳＡハウジングがＤＳＡハウジングに着脱可能に取り付けられる一方で、分析対象物センサのマイクロコントローラへの通信可能な結合を容易にするように位置決めされ適合された、請求項２４記載のリスポーザブルセンサアセンブリ。